(57)【要約】【課題】  携帯電話機に補助光カードを挿着したときにも大型化や携帯性の悪化を防止したカメラ内蔵携帯電話機。【解決手段】  通話手段と、撮像手段と、前記撮像手段により撮像した画像を記憶するメモリカードを挿入する挿入口と、を備えたカメラ内蔵携帯電話機において、被写体に向けて補助光を発光する発光部を少なくとも有する補助光カードが前記挿入口に挿入されたとき、前記撮像手段の作動により前記発光部を発光させること。【選択図】        図１
2005094188.tif 000002
【特許請求の範囲】
【請求項１】
通話手段と、撮像手段と、前記撮像手段により撮像した画像を記憶するメモリカードを挿入する挿入口と、を備えたカメラ内蔵携帯電話機において、
被写体に向けて補助光を発光する発光部を少なくとも有する補助光カードが前記挿入口に挿入されたとき、前記撮像手段の作動により前記発光部を発光させることを特徴とするカメラ内蔵携帯電話機。
【請求項２】
前記補助光カードが、前記発光部を発光させる回路部を有することを特徴とする請求項１に記載のカメラ内蔵携帯電話機。
【請求項３】
前記カメラ内蔵携帯電話機が、前記発光部を発光させる回路部を有することを特徴とする請求項１に記載のカメラ内蔵携帯電話機。
【請求項４】
前記補助光カードが、前記発光部を発光させるための電荷を充電するメインコンデンサを有し、前記カメラ内蔵携帯電話機が、前記発光部を発光させる回路部を有することを特徴とする請求項１に記載のカメラ内蔵携帯電話機。
【請求項５】
前記メモリカードが前記挿入口に挿入されていないときに前記撮像手段により撮像した画像を記憶する記憶手段を内蔵したことを特徴とする請求項１〜４の何れか１項に記載のカメラ内蔵携帯電話機。
【請求項６】
前記補助光カードにおける前記発光部を除いた部分が前記挿入口に挿入可能であることを特徴とする請求項１〜５の何れか１項に記載のカメラ内蔵携帯電話機。
【請求項７】
被写体に向けて補助光を発光する発光部を少なくとも有し、撮像した画像を記憶するメモリカードを挿入すべくカメラ内蔵携帯電話機に設けた挿入口に挿入可能であり、前記挿入口に挿入されたときに前記カメラ内蔵携帯電話機の作動により前記発光部が発光することを特徴とするカメラ内蔵携帯電話機用補助光カード。
【請求項８】
前記発光部を発光させる回路部を有することを特徴とする請求項７に記載のカメラ内蔵携帯電話機用補助光カード。
【請求項９】
前記発光部を発光させるための電荷を充電するメインコンデンサを有することを特徴とする請求項７に記載のカメラ内蔵携帯電話機用補助光カード。
【発明の詳細な説明】
【技術分野】
【０００１】
本発明は、被写体に向けて補助光を発光する補助光カードを挿着可能なカメラ内蔵携帯電話機、及びカメラ内蔵携帯電話機用補助光カードに関する。
【背景技術】
【０００２】
近年は携帯電話機にデジタルカメラ機能を備えた撮像装置が内蔵されるようになり、音声情報や文字情報だけでなく、画像情報も通信できるようになってきた。また、比較的低輝度で撮影するときの補助光としてＬＥＤを用いた携帯電話機が多数市販されている。この場合、被写体があまり暗くないときに撮像した画像を単に送信するだけなら、特に不都合はないが、より低輝度のときに高品質のプリントを得ることになると、従来の補助光では露光量不足が明白になってしまう。また、露光量不足を補うために長時間露光すると、手ぶれが発生する恐れがあり、高画素の場合には手ぶれがより目立つことになる。
【０００３】
しかし、小型で薄型に形成された携帯電話機に充分に明るい補助光を発するフラッシュ装置を内蔵することは困難であり、強いてこのようなフラッシュ装置を内蔵すると、携帯電話機そのものが大型化して携帯性が阻害されるという問題が生ずる。
【０００４】
そこで、携帯電話機にフラッシュ装置を着脱可能にし、しかもフラッシュ装置にフラッシュ電源や光学ファインダを内蔵して、大型化を防止した携帯電話機が開示されている（特許文献１参照）。
【特許文献１】特開２００２−３６８８６２号公報
【発明の開示】
【発明が解決しようとする課題】
【０００５】
前述の特許文献１に記載の携帯電話機においては、従来より光量の大きいフラッシュ装置を用いることができ、且つ、携帯電話機自体の大型化を防止することができる。しかし、フラッシュ装置の方はフラッシュ用電源や光学ファインダを内蔵しているため大型化していて、携帯電話機とフラッシュ装置の双方を携帯しようとすると、非常に携帯性の悪いものになってしまう。
【０００６】
本発明はかかる問題に鑑みてなされたものであり、簡単な構成で小型のフラッシュ装置、即ち補助光カードを携帯電話機に対して挿脱可能にし、携帯電話機単体のみならず携帯電話機に補助光カードを挿着したときにも大型化せずに携帯性が阻害されないカメラ内蔵携帯電話機、及びカメラ内蔵携帯電話機用補助光カードを提案することを発明の目的とする。
【課題を解決するための手段】
【０００７】
上記目的は、下記の何れかの手段により解決される。
（１）通話手段と、撮像手段と、前記撮像手段により撮像した画像を記憶するメモリカードを挿入する挿入口と、を備えたカメラ内蔵携帯電話機において、被写体に向けて補助光を発光する発光部を少なくとも有する補助光カードが前記挿入口に挿入されたとき、前記撮像手段の作動により前記発光部を発光させることを特徴とするカメラ内蔵携帯電話機。
（２）被写体に向けて補助光を発光する発光部を少なくとも有し、撮像した画像を記憶するメモリカードを挿入すべくカメラ内蔵携帯電話機に設けた挿入口に挿入可能であり、前記挿入口に挿入されたときに前記カメラ内蔵携帯電話機の作動により前記発光部が発光することを特徴とするカメラ内蔵携帯電話機用補助光カード。
【発明の効果】
【０００８】
本発明のカメラ内蔵携帯電話機及びカメラ内蔵携帯電話機用補助光カードによれば、使用時に発光部を携帯電話機の外部に配置し、回路部をメモリカードを挿入する空隙に配置したので、従来の補助光内蔵のタイプより補助光を発生させる電気部品の配置スペースが遙かに増大して、より光量の大きい補助光発光装置を形成することができる。
【０００９】
この結果、携帯電話機単体のみならず携帯電話機に補助光カードを挿着したときにも大型化することなく携帯性が阻害されない。
【００１０】
更に、補助光カードを標準化されているメモリカードと同じ挿入口に挿入するので、補助光カードを標準化すれば、同じ補助光カードを異なる機種の携帯電話機に使用することが可能になる。
【発明を実施するための最良の形態】
【００１１】
本発明のカメラ内蔵携帯電話機及びカメラ内蔵携帯電話機用補助光カードに関する実施の形態を、図１乃至図３を参照して説明する。
【００１２】
図１はカメラ内蔵携帯電話機の操作時における内側の正面図、図２はカメラ内蔵携帯電話機の操作時における外側の正面図、図３は補助光カードと挿入口の斜視図である。
【００１３】
各図に示すカメラ内蔵携帯電話機（以下、携帯電話機と言う）は、上筐体１と下筐体２とからなり、非使用時には両者を接続するヒンジ部３によって図１に示す面が内側になるように折り畳むことができる。
【００１４】
なお、本発明の携帯電話機は、上筐体１と下筐体２とを折り畳む形式の携帯電話機に限定されるものではなく、上筐体１と下筐体２とを一体に形成して折り畳みができない携帯電話機であってもよい。
【００１５】
図１に示す如く、上筐体１の内面には液晶ディスプレイからなる表示部１１が配置され、通話のときには電話番号を始め、各種の送受信モードに応じた内容が表示され、撮影のときには被写体が表示されるので構図を決定することができる。下筐体２の内面は電話番号等を入力するダイヤルボタン２１と、通話及び撮影のときに各種のモードを選択、決定する多数のソフトキイ２２が配置されている。
【００１６】
図２に示す如く、上筐体１の外面には撮影レンズ１２と、伸縮自在のアンテナ１３が配置されている。
【００１７】
また、上筐体１の上面には図３に示す如く挿入口１４が設けられ、メモリカード５及び補助光カード７を挿入することができる。
【００１８】
通話のときには、周知の如くダイヤルボタン２１により電話番号を押したり、ソフトキイ２２の操作によって内部メモリから予め記憶した電話番号を呼び出したりして表示部１１に表示し、送信することができる。また、ソフトキイ２２の操作によって受信することもできる。
【００１９】
撮影のときには、ソフトキイ２２を操作して撮影モードにすると、撮影レンズ１２によって受像した被写体の画像が表示部１１に表示されるので、撮影レンズ１２を被写体に向けて表示部１１を見ながら構図を決定した後に、レリーズ用に予め決められたボタン（例えば、ソフトキイ２２の中の決定キイ２２ａ）を押せば撮影ができる。そして、撮影された画像は内部メモリ（記憶手段）に記憶され、適宜表示部１１に表示することができる。また、不要の画像は消去することができる。
【００２０】
なお、ＣＣＤ等からなる撮像素子の画素数が大きい携帯電話機であって、高画質で撮影したときには、内部メモリでは記憶容量が限定され、多数の画像を記憶することができないので、メモリカード５を挿入口１４に挿入して、メモリカード５に多数の画像を記憶する。また、携帯電話機で撮像した画像をパソコンに取り込むときや、プリントするときにも、画像がメモリカード５に記憶されている方が便利である。
【００２１】
ここで、夜間や室内の低輝度の状態で被写体が暗いときには、メモリカード５を抜いて補助光カード７を挿入口１４に挿入する。補助光カード７は被写体に向けて補助光を発光する発光部７ａと、発光部７ａを発光させる回路部７ｂとからなり、回路部７ｂの大きさはメモリカード５と略同一であって、補助光カード７を挿入したときには発光部７ａを除いて回路部７ｂが挿入口７の中に挿入される。そして、発光部７ａは図２に示す如く撮影レンズ１２の方向を向いている。
【００２２】
発光部７ａは複数の高輝度ＬＥＤやキセノン管よりなり、回路部７ｂには導電性パターンに抵抗等の印刷部品が印刷されて被覆されている。電源は下筐体２に内蔵されたものを用いるが、電源を除いた発光回路は補助光カード７に収納されている。
【００２３】
なお、場合によっては回路部７ｂを携帯電話機に内蔵し、補助光カード７は発光部７ａのみを有していてもよい。
【００２４】
また、発光部７ａにキセノン管を用いた場合には、メインコンデンサやトランスが必要となるが、これらの電気部品はキセノン管の後方や側方に配置することが望ましい。
【００２５】
更に、必要に応じて回路部７ｂにチップ部品のような薄型の電気部品を実装し、被覆保護してもよい。この場合は、挿入口１４の幅方向の端部を除いた厚み方向の所定の部所を拡大し、補助光カード７に実装した電気部品が当接しないようにし、且つ、メモリカード５を挿入したときに、がたつかないようにする。
【００２６】
このようにして、メモリカード５が挿入される挿入口１４の空隙に補助光カード７の回路部７ｂが挿入されるので、携帯電話機より外部に突出するのは発光部７ａのみとなり、大型化せず、携帯に支障が出ることがない。しかも、このように発光部７ａ及び回路部７ｂを配置することにより、従来の内蔵タイプより補助光を発生させる電気部品の配置スペースが遙かに増大し、より光量の大きい補助光発生装置を形成することができる。
【００２７】
また、補助光カード７は小型なので、携帯電話機にメモリカード５を挿入したときには、補助光カード７を携帯電話機のケース等に収納することができ、補助光カード７を差し当たって使用しないときにも携帯の邪魔になることがない。
【００２８】
更に、補助光カード７を標準化されているメモリカード５と同じ挿入口１４に挿入するので、補助光カード７を標準化すれば、同じ補助光カード７を異なる機種の携帯電話機に使用することが可能になる。
【００２９】
また、メモリカード５には電気的な接続端子が複数個ある。一方、補助光カード７には少なくとも電源用、シンクロ用、アース用と少なくとも３個の接続端子が必要で、場合によっては撮像素子で被写体輝度を検知して低輝度になったときのみ発光する自動発光機能を補助光カード７に付加すれば、接続端子は更に増加する。メモリカード５と補助光カード７とを同じ挿入口１４に挿入するようにしたので、メモリカード５用接続端子と補助光カード７用接続端子を表裏異なる面に配置して、挿入口１４側の接続端子が重複しないようにすることが望ましい。その上、市販のメモリカード５は表裏逆にして挿入することはできないように機械的に構成されているので、補助光カード７も同様に構成して、発光部７ａが必ず撮影レンズ１２の方向を向くようにする。
【００３０】
また、本図においては挿入口１４を携帯電話機の上面に配置したが、携帯電話機の内部構成やデザインに応じて左右何れかの側面であってもよい。しかし、赤目低減のために撮影レンズ１２よりできるだけ離れた上部であることが望ましい。
【００３１】
なお、メモリカード５の一例として、ＳＤメモリカード（Ｒ）、ｍｉｎｉＳＤメモリカード（Ｒ）、メモリスティックＤｕｏ（Ｒ）等を使用することができる。
【００３２】
このようにして、低輝度の撮影時に補助光カード７を挿入口１４に挿入したときは、決定キイ２２ａの操作によって補助光カード７の発光部７ａが発光して撮像が行われ、撮像された画像は携帯電話機の内部メモリに記憶される。しかし、撮影後に補助光カード７を抜いてメモリカード５を挿入口１４に挿入し、内部メモリに記憶した画像を補助光カード７に移動することができる。
【図面の簡単な説明】
【００３３】
【図１】カメラ内蔵携帯電話機の操作時における内側の正面図である。
【図２】カメラ内蔵携帯電話機の操作時における外側の正面図である。
【図３】補助光カードと挿入口の斜視図である。
【符号の説明】
【００３４】
１  上筐体
２  下筐体
５  メモリカード
７  補助カード
７ａ  発光部
７ｂ  回路部
１１  表示部
１４  挿入口
２１  ダイヤルボタン
２２  ソフトキイ
【図１】
2005094188.tif 000003
【図２】
2005094188.tif 000004
【図３】
2005094188.tif 000005